(57)【特許請求の範囲】
【請求項１】
受話音出力用スピーカとしてのレシーバと、着信音出力用スピーカとしてのサウンダとを兼ねた単一のスピーカを駆動するためのスピーカアンプであって、
所定のレベルである第１の閾値電圧と、当該第１の閾値電圧のレベルよりも高いレベルの第２の閾値電圧とを発生させる基準電圧発生手段と、
前記スピーカに出力される出力信号のレベルが前記第１の閾値電圧のレベルを超えないように、前記出力信号のレベルを制限する出力信号レベル制限手段と、
前記スピーカに出力される前記出力信号を所定時間積算し、積算された前記出力信号のレベルが前記第２の閾値電圧のレベルを超えている異常状態を検出する出力信号レベル異常検出手段と、
を備えることを特徴とするスピーカアンプ。
【請求項２】
前記出力信号レベル制限手段は、前記出力信号レベル異常検出手段が前記異常状態を検出する時間より短い時間で、前記出力信号のレベルを制限することを特徴とする請求項１記載のスピーカアンプ。
【請求項３】
前記第２の閾値電圧は、前記スピーカの特性と前記スピーカに出力される出力信号のレベルが利用者に対して過大であるとみなす所定のレベルと、に応じて設定されることを特徴とする請求項１または請求項２記載のスピーカアンプ。
【請求項４】
前記出力信号レベル異常検出手段は、前記出力信号を所定の時間積分する積分回路を有し、
前記出力信号を所定の時間積分したレベルが前記第２の閾値電圧のレベルを超えている状態を前記異常状態として検出することを特徴とする請求項１から請求項３のいずれか１項に記載のスピーカアンプ。
【請求項５】
前記出力信号レベル異常検出手段は、前記異常状態を所定の回数連続して検出した場合に、異常信号を出力することを特徴とする請求項１から請求項４のいずれか１項に記載のスピーカアンプ。
【請求項６】
前記出力信号レベル異常検出手段は、前記異常状態の検出回数をカウントするカウンタを有し、
前記カウンタが前記異常状態を所定の回数連続してカウントした場合に、前記異常信号を出力することを特徴とする請求項５記載のスピーカアンプ。
【請求項７】
前記出力信号レベル異常検出手段は、前記異常状態を所定の回数のうち一定の回数以上検出した場合に、前記異常信号を出力することを特徴とする請求項５または請求項６に記載のスピーカアンプ。
【請求項８】
前記出力信号レベル異常検出手段は、前記異常状態の検出回数をカウントするカウンタを有し、
前記カウンタが、前記異常状態を所定の回数のうち一定の回数以上カウントした場合に、前記異常信号を出力することを特徴とする請求項７記載のスピーカアンプ。
【請求項９】
前記基準電圧発生手段は、
前記第１の閾値電圧を発生させる第１の基準電圧発生手段と、
前記第１の基準電圧発生手段とは独立して前記第２の閾値電圧を発生させる第２の基準電圧発生手段と、
を備えることを特徴とする請求項１から請求項８のいずれか１項に記載のスピーカアンプ。
【請求項１０】
前記基準電圧発生手段とは独立して、第３の閾値電圧を発生させる第３の基準電圧発生手段と、
前記第２の閾値電圧のレベルが前記第３の閾値電圧のレベルを超えた場合に前記異常信号を出力する閾値電圧レベル異常検出手段と、
を備えることを特徴とする請求項１から請求項９のいずれか１項に記載のスピーカアンプ。
【請求項１１】
受話音出力用スピーカとしてのレシーバと、着信音出力用スピーカとしてのサウンダとを兼ねた単一のスピーカと、
前記スピーカを駆動するための請求項１から請求項１０のいずれか１項に記載のスピーカアンプと、
前記スピーカアンプの動作状態を制御する制御手段と、
を備えたことを特徴とする電子機器。
【発明の詳細な説明】
【技術分野】
【０００１】
本発明はスピーカアンプおよび電子機器に関し、特に、受話音出力スピーカ（レシーバ）と着信音出力用スピーカ（サウンダ）とを単一のスピーカで兼用する場合に、スピーカから過大な音量が出力されるのを防止するための保護機能を備えたスピーカアンプおよび電子機器に関する。
【背景技術】
【０００２】
スピーカを内蔵するような多くの電子機器では、利用者に対してスピーカから過大な音量が出力されるのを防ぐために、スピーカから出力される音量が規制されている。その一例は、欧州電気標準化委員会による標準規格ＥＮ５０３３２‐２：２００３等に見られる。例えば身近に使われている携帯電話装置においても、利用者に対して過大な音量がスピーカから出力されないよう配慮されている。
【０００３】
従来の携帯電話装置にあっては、利用者がスピーカに耳を近付けた状態でスピーカから大音量の着信音が出力されるのを防止するために、大音量が必要とされるサウンダと、過大な音量が出にくいよう設計されたレシーバとを別々に配置するのが一般的であった。しかしながら、近年の携帯電話装置は小型化が進み、レシーバとサウンダとを別々に実装するスペースを確保することが困難になりつつあるのとともに、レシーバとサウンダとを別々に実装することはコストアップの要因にもなっている。安全性を保ちながらレシーバとサウンダとを単一のスピーカで兼用することができれば、実装面積やコストの削減に大きく貢献することができる。
【０００４】
このような背景から、レシーバとサウンダとを単一のスピーカで兼用する電子機器が増えつつある。このような電子機器の多くには、スピーカから過大な音量が出力されないように出力信号のレベルを制限するための出力信号レベル制限（リミッタ）機能が搭載されている。
例えば、特許文献１には、レシーバとサウンダとを単一のスピーカで兼用し、着信音量制限手段を有する携帯電話装置が開示されている。この携帯電話装置は、出力される音量が基準となる音量を継続的に超過した場合、音量を増加させる速度を制限している。
【０００５】
また、特許文献２には、受話音量制限回路が開示されている。この回路は、レシーバの駆動信号を整流して平滑化したものの所定時間ごとの平均値を閾値と比較し、超過レベル分を受話音声データから減算することで、音量制限を行っている。
【先行技術文献】
【特許文献】
【０００６】
【特許文献１】特開２００２−１８５５７１号公報
【特許文献２】特開平７−２３５９７５号公報
【発明の概要】
【発明が解決しようとする課題】
【０００７】
上記の特許文献１，２に開示される発明では、音量制限回路が正常に動作しているときには利用者に対してスピーカから過大な音量が出力されるのを防止することができる。しかしながら、音量制限回路が故障した場合にはリミッタ機能が正常に動作せず、スピーカから大音量が出力される場合があった。
そこで、本発明は、上記の課題に鑑み、レシーバとサウンダとを単一のスピーカで兼用する電子機器に用いられるスピーカアンプおよび電子機器であって、簡易な回路構成でリミッタ機能が故障した場合であっても利用者に対して過大な音量がスピーカから出力されるのを防止することのできるスピーカアンプおよび電子機器を提供することを目的とする。
【課題を解決するための手段】
【０００８】
本発明に係るスピーカアンプおよび電子機器は、上記の目的を達成するために、次のように構成される。
本発明に係る第１のスピーカアンプは、受話音出力用スピーカとしてのレシーバと、着信音出力用スピーカとしてのサウンダとを兼ねた単一のスピーカを駆動するためのスピーカアンプであって、所定のレベルである第１の閾値電圧と、当該第１の閾値電圧のレベルよりも高いレベルの第２の閾値電圧とを発生させる基準電圧発生手段と、前記スピーカに出力される出力信号のレベルが前記第１の閾値電圧のレベルを超えないように、前記出力信号のレベルを制限する出力信号レベル制限手段と、前記スピーカに出力される前記出力信号を所定時間積算し、積算された前記出力信号のレベルが前記第２の閾値電圧のレベルを超えている異常状態を検出する出力信号レベル異常検出手段と、を備えることを特徴とする。
【０００９】
上記のスピーカアンプによれば、出力信号レベル制限手段が、出力信号のレベルを基準電圧発生手段によって発生させたる第１の閾値電圧のレベルを超えないように制限する。これにより、利用者に対してスピーカから過大な音量が出力されないようにしながら安定した受話音の出力が可能である。また、出力信号レベル異常検出手段が、出力信号のレベルが第２の閾値電圧を超えている異常状態であることを検出している。これにより、出力信号レベル制限手段が故障しても、利用者に対してスピーカから過大な音量が出力される前に、スピーカの駆動を停止する等の対策をとることが可能となる。逆に、出力信号レベル異常検出手段が故障しても、出力信号レベル制限手段が正常に動作していれば、利用者に対してスピーカから過大な音量が出力されるのを防止することが可能となる。また、出力信号レベル制限手段が正常に動作しているときには、出力信号のレベルは第１の閾値電圧のレベルを超えないように制限されており、かつ第２の閾値電圧のレベルは第１の閾値電圧のレベルより高いため、出力信号のレベルは第２の閾値電圧のレベルを超えないレベルとなる。よって、出力信号レベル異常検出手段は、出力信号レベル制限手段が故障した場合にのみ異常判定をすることになるので、保護回路が過度に異常状態を検出することによって、頻繁にスピーカの駆動が停止されたりするのを避けることが可能となる。
また、このとき、出力信号レベル異常検出手段は、スピーカに出力される出力信号を所定時間積算し、この積算された出力信号のレベルを用いて異常状態を検出する。これにより、出力信号に瞬間的なノイズが発生した場合であっても、出力信号レベル異常検出手段が誤って異常状態を検出するのを少なくすることが可能となる。
【００１０】
本発明に係る第２のスピーカアンプは、前記出力信号レベル制限手段は、前記出力信号レベル異常検出手段が前記異常状態を検出する時間より短い時間で、前記出力信号のレベルを制限することを特徴とする。
上記のスピーカアンプによれば、出力信号レベル制限手段は、出力信号レベル異常検出手段が異常状態を検出するのよりも早く、出力信号の大きさを制限する。これにより、出力信号レベル異常検出手段は、リミッタ回路が故障した場合にのみ異常判定をすることになるので、保護回路が過度に異常状態を検出することによって、頻繁にスピーカの駆動が停止されたりするのを避けることが可能となる。
本発明に係る第３のスピーカアンプは、前記第２の閾値電圧は、前記スピーカの特性と前記スピーカに出力される出力信号のレベルが利用者に対して過大であるとみなす所定のレベルと、に応じて設定されることを特徴とする。
【００１１】
本発明に係る第４のスピーカアンプは、前記出力信号レベル異常検出手段は、前記出力信号を所定の時間積分する積分回路を有し、前記出力信号を所定の時間積分したレベルが前記第２の閾値電圧のレベルを超えている状態を前記異常状態として検出することを特徴とする。
【００１２】
本発明に係る第５のスピーカアンプは、前記出力信号レベル異常検出手段は、前記異常状態を所定の回数連続して検出した場合に、異常信号を出力することを特徴とする。
上記のスピーカアンプによれば、出力信号レベル異常検出手段は、異常状態を検出しても、異常状態を連続して検出するまで異常信号を出力しない。これにより、出力信号に瞬間的なノイズ等が発生した場合等のように、利用者に対してスピーカから過大な音量が出力されることのないものである場合には、検出結果を無視して異常状態の誤検出を低減することが可能となる。
本発明に係る第６のスピーカアンプは、前記出力信号レベル異常検出手段は、前記異常状態の検出回数をカウントするカウンタを有し、前記カウンタが前記異常状態を所定の回数連続してカウントした場合に、前記異常信号を出力することを特徴とする。
【００１３】
本発明に係る第７のスピーカアンプは、前記出力信号レベル異常検出手段は、前記異常状態を所定の回数のうち一定の回数以上検出した場合に、前記異常信号を出力することを特徴とする。
上記のスピーカアンプによれば、出力信号レベル異常検出手段は、過大な音声信号が所定の回数のうち一定の回数検出されるまで異常信号を出力しない。これにより、利用者に対してスピーカから過大な音量が出力されるか否かをさらに高い蓋然性をもって検出し、異常状態の誤検出を低減することが可能となる。
本発明に係る第８のスピーカアンプは、前記出力信号レベル異常検出手段は、前記異常状態の検出回数をカウントするカウンタを有し、前記カウンタが、所定の回数のうち、一定の回数以上前記異常状態をカウントした場合に、前記異常信号を出力することを特徴とする。
【００１４】
本発明に係る第９のスピーカアンプは、前記基準電圧発生手段は、前記第１の閾値電圧を発生させる第１の基準電圧発生手段と、前記第１の基準電圧発生手段とは独立して前記第２の閾値電圧を発生させる第２の基準電圧発生手段と、を備えることを特徴とする。
上記のスピーカアンプによれば、第１の基準電圧発生手段が第１の閾値電圧を出力し、第２の基準電圧発生手段が第２の閾値電圧を出力する。つまり、第１の閾値電圧と第２の閾値電圧とをそれぞれ独立な基準電圧発生手段で発生させる。これにより、２つの基準電圧発生手段が故障することによって、出力信号レベル制限手段と出力信号レベル異常検出手段との両方が同時に動作不良に陥ることを限りなく低減し、保護回路の二重化をより堅牢なものにすることが可能となる。
【００１５】
本発明に係る第１０のスピーカアンプは、前記基準電圧発生手段とは独立して、第３の閾値電圧を発生させる第３の基準電圧発生手段と、前記第２の閾値電圧のレベルが前記第３の閾値電圧のレベルを超えた場合に前記異常信号を出力する閾値電圧レベル異常検出手段と、を備えることを特徴とする。
上記のスピーカアンプによれば、閾値電圧レベル異常検出手段は第２の閾値電圧が、第３の閾値電圧を超えた場合に異常信号を出力する。これにより、故障等によって第２の閾値電圧のレベルが通常よりも高くなり、出力信号レベル異常検出手段が異常を正常に検出することができなくなることを低減し、利用者に対してスピーカから過大な音量が出力される前にスピーカの駆動を停止する等の対策をとることが可能となる。
【００１６】
本発明に係る電子機器は、受話音出力用スピーカとしてのレシーバと、着信音出力用スピーカとしてのサウンダとを兼ねた単一のスピーカと、前記スピーカを駆動するための第１〜１０のいずれかに記載のスピーカアンプと、前記スピーカアンプの動作状態を制御する制御手段と、を備えたことを特徴とする。
上記の電子機器によれば、その電子機器に内蔵されるスピーカアンプは、簡易な構成でありながらも、効果的に保護回路が二重化されている。従って、制御手段は、スピーカアンプのレシーバ／サウンダモード切り替えなどの動作状態を制御するだけで良い。これにより、レシーバとサウンダとを単一のスピーカで兼用する電子機器をサイズやコストを抑えて製造することが可能となる。
【発明の効果】
【００１７】
本発明によれば、出力信号レベル制限手段により利用者に対してスピーカから過大な音量が出力されないように防止しながら受話音を出力することが可能である。また、出力信号レベル制限手段が故障した場合でも、出力信号レベル異常検出手段により出力信号レベルを検出することでスピーカの駆動を停止する等の対策をとることができる。
なお、出力信号レベル制限手段と出力信号レベル異常検出手段とを、それぞれ独立した第１および第２の基準電圧発生手段によって発生させた閾値電圧を基準にして動作させることで、出力信号レベル制限手段と出力信号レベル異常検出手段とが同時に動作不良に陥って、利用者に対してスピーカから過大な音量が出力されるのを防止することができる。また、出力信号レベル異常検出手段で使用する閾値電圧が利用者に対してスピーカから過大な音量が出力されるほどのレベルとなるような故障が起こった場合には、閾値電圧レベル異常検出手段の判定に基づいて、スピーカの駆動を停止する等の対策をとることができる。
【００１８】
以上のように、各保護回路は、簡易な構成でありながらも多重化されている。このため、安全性を保ちながらレシーバ用途とサウンダ用途とで単一のスピーカを兼用することが可能となり、携帯電話装置等の電子機器の安全性、小型化およびコスト削減に寄与することができる。
なお、出力信号レベル異常検出手段は、出力信号のレベルが閾値電圧のレベルを超えている異常状態を検出する時間より短い時間で出力信号のレベルを閾値電圧のレベルを超えないように制限する。また、出力信号レベル異常検出手段は、出力信号を所定の時間で積算してレベルを用いて複数回の異常検出を行って異常信号を出力する。
以上のように、各保護回路は、利用者に対して過大な音量がスピーカから出力される蓋然性をもって判定するため、ノイズの影響等を受け過剰な保護動作によって頻繁に音声信号出力が停止することを避けることができる。
【図面の簡単な説明】
【００１９】
【図１】本発明に係るスピーカアンプ１０の構成を示すブロック図である。
【図２】リミッタ回路１７の構成を示すブロック図である。
【図３】レシーバモード時にリミッタ回路１７から出力される出力信号レベルを示すグラフである。
【図４】ゲイン調整部４１が実行するゲイン調整シーケンス制御のアルゴリズムを示すフローチャートである。
【図５】出力信号レベル異常検出回路２２の構成を示すブロック図である。
【図６】出力信号レベル異常検出回路２２の内部の各信号レベルを示すグラフである。
【図７】シーケンサ５４ａが実行する出力信号レベル異常判定シーケンス制御のアルゴリズムを示すフローチャートである。
【図８】閾値電圧レベル異常検出回路２３の構成を示すブロック図である。
【図９】閾値異常判定シーケンス制御のアルゴリズムを示すフローチャートである。
【発明を実施するための形態】
【００２０】
以下に、本発明の好適な実施形態を添付図面に基づいて説明する。なお、以下の説明において参照する各図では、他の図と同等の構成要素は同一符号によって示す。
（スピーカアンプ１０の構成）
図１を参照して、レシーバ用途とサウンダ用途とで単一のスピーカを兼用する電子機器の一例として携帯電話装置に内蔵された本発明に係るスピーカアンプ１０の構成を説明する。図１は、本発明に係るスピーカアンプ１０の構成を示すブロック図である。
【００２１】
図１に示すスピーカアンプ１０は、制御信号入出力端子１１、制御部１２、レシーバモード用音声信号入力端子１３、サウンダモード用音声信号入力端子１４、スピーカ出力端子１５、信号パス切替スイッチ１６、出力信号レベル制限（リミッタ）回路１７、レシーバモード用スピーカ駆動部１８、サウンダモード用スピーカ駆動部１９、閾値電圧設定ピン２０、定電流源２１ａ、抵抗素子２１ｂ、出力信号レベル異常検出回路２２、閾値電圧レベル異常検出回路２３および基準電圧発生回路２４を備えて構成される。
【００２２】
制御信号入出力端子１１は、携帯電話装置の全体を統括して制御するための主制御部３１とスピーカアンプ１０とを接続し、制御信号を入出力するための端子である。
制御部１２は、携帯電話装置等の主制御部３１と通信し、受話音出力用スピーカとして駆動するレシーバモードと着信音出力用スピーカとして駆動するサウンダモードとを含む種々の設定情報を内部に保持し、各部のパワーオン／オフや信号パスの切り替え等、スピーカアンプ１０の全体の動作を統括して制御する。
【００２３】
制御部１２は、スピーカアンプ１０内のいずれかの各部から何らかの異常を検知したことを示す異常信号ＥＲが通知されると、レシーバモード用スピーカ駆動部１８のパワーオフ、信号パス切り替えスイッチ４の切断等、利用者に対してスピーカ３２から過大な音量が出力されるのを防ぐために必要な対策をとる。例えば、異常の発生を携帯電話装置等の主制御部３１に通知するためのフラグ信号を生成するのもよい。
【００２４】
なお、本実施形態においては、レシーバモード時にレシーバとサウンダとを兼ねたスピーカ３２から過大な音量が出力されるような事象を含む異常状態のみについて取り扱い、これ以外の異常状態については取り扱わない。
レシーバモード用音声信号入力端子１３は、レシーバモード時に携帯電話装置のレシーバモード用音声信号出力部３３から出力された音声信号を入力するための端子である。
【００２５】
サウンダモード用音声信号入力端子１４は、サウンダモード時に携帯電話装置等のサウンダモード用音声信号出力部３４から出力された音声信号を入力するための端子である。
スピーカ出力端子１５は、スピーカアンプ１０とともに携帯電話装置に内蔵されるスピーカ３２と、スピーカアンプ１０とを接続するための端子である。
【００２６】
信号パス切替スイッチ１６は、制御部１２からのレシーバモードとサウンダモードとを切り替えるための指示に応じて、音声信号入力端子を変更するためのスイッチング素子である。レシーバモード時には、信号パス切替スイッチ１６がレシーバモード用音声信号入力端子１３とリミッタ回路１７とを接続し、レシーバモード用音声信号入力端子１３から入力された音声信号がリミッタ回路１７に入力される。また、サウンダモード時には、信号パス切替スイッチ１６がサウンダモード用音声信号入力端子１４とリミッタ回路１７とを接続し、サウンダモード用音声信号入力端子１４から入力された音声信号がリミッタ回路１７に入力される。
【００２７】
リミッタ回路１７は、レシーバモード用音声信号入力端子１３およびサウンダモード用音声信号入力端子１４から入力される音声信号のレベルを観測し、スピーカ出力端子１５を介して接続されるスピーカ３２から過大な音量が出力されないようにゲインを調整する。これにより、リミッタ回路１７は、リミッタ回路１７から出力される音声信号のレベルが所定のレベルである第１の閾値電圧ＶＬ１のレベルを越えないように音声信号のレベルを制限する。
【００２８】
レシーバモード用スピーカ駆動部１８は、制御部１２からの指示に基づいてレシーバモード時にパワーオンされ、リミッタ回路１７から出力された音声信号を所定のゲインで増幅し、増幅された音声信号をスピーカ出力端子１５から出力する。また、レシーバモード用スピーカ駆動部１８は、サウンダモード時にはパワーオフされる。
サウンダモード用スピーカ駆動部１９は、制御部１２からの指示に基づいてサウンダモード時にパワーオンされ、リミッタ回路１７から出力された音声信号を所定のゲインで増幅し、スピーカ出力端子１５から出力する。また、サウンダモード用スピーカ駆動部１９は、レシーバモード時にはパワーオフされる。
【００２９】
なお、レシーバモード時とサウンダモード時とで単一の回路を兼用してスピーカ３２を駆動することも可能であるが、レシーバモード時とサウンダモード時とでは必要な音量が異なるため、スピーカ３２を駆動する回路に要求される駆動能力が異なる。そこで、本実施形態においては、それぞれのモードに最適化されたスピーカ駆動部を用いる例を提示する。
【００３０】
閾値電圧設定ピン２０は、定電流源２１ａと抵抗素子２１ｂとが接続され、第１の閾値電圧ＶＬ１のレベルよりも高い第２の閾値電圧ＶＬ２を出力するための端子である。
定電流源２１ａは、基準電圧発生回路２４から出力された基準電圧を利用して、第２の閾値電圧ＶＬ２を発生させるために基となる基準電流を生成する。
抵抗素子２１ｂは、第１の閾値電圧ＶＬ１のレベルよりも高い第２の閾値電圧ＶＬ２を、発生させるために接続される素子である。出力信号レベル異常検出回路２２から閾値電圧設定ピン２０に出力される基準電流と抵抗素子２１ｂの抵抗値とによって、第２の閾値電圧ＶＬ２が決定される。なお、抵抗素子２１ｂは、固定抵抗に限らず可変抵抗であってもよい。
【００３１】
上記の定電流源２１ａと抵抗素子２１ｂとから構成される回路が、第２の閾値電圧ＶＬ２を発生させるための基準電圧発生回路として機能する。
なお、この第２の閾値電圧ＶＬ２は、スピーカ３２の特性やスピーカアンプ１０を搭載するシステムのアプリケーションに合わせて適切に設定する必要がある。本実施形態では、出力信号レベル異常検出回路２２が所定の基準電流を第２の閾値設定ピン２０に出力し、閾値電圧設定ピン２０と接地点との間に適切な抵抗値を持つ抵抗素子２１ｂを接続しておくことで、閾値電圧設定ピン２０に第２の閾値電圧ＶＬ２を発生させることができる。この方法によれば、第２の閾値電圧ＶＬ２のレベルの調節を、単一の抵抗素子２１ｂを選定することによって容易に行うことが可能になる。
【００３２】
スピーカ３２の特性等を仮定して、第２の閾値電圧ＶＬ２を設定する具体例を示す。例えば、スピーカ３２の電気音響変換効率を１１０ｄＢＡ／１００ｍＶとし、利用者に対する過大な量を１２０ｄＢＡとする。このとき、この音量に対応するスピーカ出力端子１５の電圧は、１００ｍＶから１０ｄＢ上昇して３１６ｍＶとなる。従って、スピーカ出力端子１５の動作点を１．２Ｖとすると、第２の閾値電圧ＶＬ２は１．２Ｖ＋３１６ｍＶ＝１．５１６Ｖ以下とすべきである。定電流源２１ａから出力される電流を１０μＡとすれば、閾値電圧設定ピン２０に接続する抵抗素子２１ｂの抵抗値は、１．５１６Ｖ／１０μＡ〜１５０ｋΩとすればよい。
【００３３】
出力信号レベル異常検出回路２２は、閾値電圧設定ピン２０に出力された第２の閾値電圧ＶＬ２に基づいてスピーカ３２から出力される音声信号のレベルが過大であるか否かを検出する。出力信号レベル異常検出回路２２は、音声信号のレベルが、利用者に対して過大な音量がスピーカ３２から出力されるようなレベルであることを検出すると、制御部１２に異常信号ＥＲを通知する。
【００３４】
閾値電圧レベル異常検出回路２３は、基準電圧発生回路２４から出力される第３の閾値電圧ＶＬ３を基準にして、第２の閾値電圧ＶＬ２のレベルが第３の閾値電圧ＶＬ３よりも高いか否かを検出する。第２の閾値電圧ＶＬ２のレベルに異常があると、出力信号レベル異常検出回路２２で異常を検出することができなくなるため、閾値電圧レベル異常検出回路２３は、第２の閾値電圧ＶＬ２のレベルの異常を検出すると、異常信号ＥＲを制御部１２に通知する。
【００３５】
基準電圧発生回路２４は、基準電圧発生回路２４ａ，２４ｂの２つの基準電圧発生回路を有して構成される。基準電圧発生回路２４ａは、出力信号レベル異常検出回路２２および閾値電圧レベル異常検出回路２３以外の各回路を動作させるために必要な基準電圧と、リミッタ回路１７で出力信号レベルを制限するために用いられる第１の閾値電圧ＶＬ１を発生させる。また、基準電圧発生回路２４ｂは、出力信号レベル異常検出回路２２および閾値電圧レベル異常検出回路２３の各回路を動作させるために必要な基準電圧と、閾値電圧レベル異常検出回路２３で判定閾値として用いられる第３の閾値電圧ＶＬ３を発生させる。本実施形態における基準電圧発生回路２４は、基準電圧発生回路２４から出力される基準電圧、および第１の閾値電圧ＶＬ１〜第３の閾値電圧閾値電圧ＶＬ３を基準にして動作する各部が同時に故障する確率が低くなるように、２つの独立した基準電圧発生回路から基準電圧、および第１の閾値電圧ＶＬ１〜第３の閾値電圧閾値電圧ＶＬ３を出力するように構成されている。さらに、別の閾値電圧を生成するために、独立した第３の基準電圧発生回路を用いることも可能である。
【００３６】
（サウンダモード時の動作）
ここで、スピーカアンプ１０のサウンダモード時における動作を説明する。
制御部１２は主制御部３１からサウンダモードに切り替わるように指示を受けると、必要な各部をパワーオンする。信号パス切替スイッチ１６は、サウンダモード用音声信号入力端子１４とリミッタ回路１７の入力側とが接続されるように電気的接続状態を切り替える。また、レシーバモード用スピーカ駆動部１８がパワーオフされ、サウンダモード用スピーカ駆動部１９がパワーオンされるため、スピーカ３２はスピーカ出力端子１５を介してサウンダモード用スピーカ駆動部１９によって駆動される。
【００３７】
また、本実施形態において、サウンダモードでは利用者に対してスピーカ３２から過大な音量が出力されるのを防止するための保護機能を機能させず、レシーバモードのみで保護機能を機能させる。このため、出力信号レベル異常検出回路２２および閾値電圧レベル異常検出回路２３はパワーオフされる。リミッタ回路１７については、プリアンプ４０を一定のゲインで動作させる。利用者に対して過大な音量がスピーカ３２から出力されるのを防止する以外の理由、例えばスピーカ３２を保護するような理由で出力信号の大きさを制御する必要があればゲインの調整して動作させても良い。
【００３８】
（レシーバモード時の動作）
また、スピーカアンプ１０のレシーバモード時における動作を説明する。
制御部１２は携帯電話装置等の主制御部３１からレシーバモードに切り替わるように指示を受けると、必要な各部をパワーオンする。信号パス切替スイッチ１６は、レシーバモード用音声信号入力端子１３とリミッタ回路１７の入力側とが接続されるように電気的接続状態を切り替える。レシーバモード用スピーカ駆動部１８がパワーオンされ、サウンダモード用スピーカ駆動部１９がパワーオフされるため、スピーカ３２はスピーカ出力端子１５を介してレシーバモード用スピーカ駆動部１８によって駆動される。
【００３９】
そして、リミッタ回路１７は、ゲインを調整して音声信号のレベルが第１の閾値電圧ＶＬ１を超えないように音声信号を出力する。また、出力信号レベル異常検出回路２２は、第２の閾値電圧ＶＬ２を基準にして過大な音声信号が出力されていないか、スピーカ出力端子１５の信号レベルを監視する。閾値電圧レベル異常検出回路２３は、第２の閾値電圧ＶＬ２が第３の閾値電圧ＶＬ３を超えていないかを監視する。
【００４０】
（リミッタ回路１７の構成）
次に、図２を参照して、リミッタ回路１７の構成を説明する。図２は、リミッタ回路１７の構成を示すブロック図である。
図２に示すリミッタ回路１７は、プリアンプ４０およびゲイン調整部４１を備えて構成される。
プリアンプ４０は、ゲイン調整部４１によって指示されたゲインで入力した音声信号を増幅して出力する。
ゲイン調整部４１は、プリアンプ４０から出力される音声信号のレベルを観測し、出力信号レベルが第１の閾値電圧ＶＬ１を越えないようにプリアンプ４０のゲインを調整する。ゲイン調整部４１は、レシーバモード時に、利用者に対してスピーカ３２から過大な音量が出力されることがないように、プリアンプ４０のゲインを調整するためのゲイン調整シーケンス制御を実行することで、プリアンプ４０のゲインを調整し続ける。
【００４１】
（リミット回路１７の動作）
続いて、図３を参照して、レシーバモード時に音声信号レベルが大きくなった場合のリミット回路１７の動作について説明する。図３は、レシーバモード時にリミッタ回路１７から出力される出力信号レベルを示すグラフである。
図３においては、レシーバモード時に第１の閾値電圧ＶＬ１を超えた出力信号レベルが、リミッタ回路１７によって第１の閾値電圧ＶＬ１を超えないように徐々に制限されていく様子を示している。
【００４２】
リミッタ回路１７のプリアンプ４０から入力される入力信号レベルが大きくなるのに従って、プリアンプ４０から出力される出力信号レベルも大きくなる。そして、出力信号レベルが第１の閾値電圧ＶＬ１を越えると、ゲイン調整部４１は、出力信号の大きさが第１の閾値電圧ＶＬ１を超えないようにプリアンプ４０のゲインを減少させる。これにより、リミッタ回路１７が正常に動作しているときには、出力信号のレベルは第１の閾値電圧ＶＬ１のレベルを超えないように制限される。このため、出力信号の振幅は、基準電圧ＶＲＥＦを基準にして、ＶＬ１〜ＶＲＥＦ−（ＶＬ１−ＶＲＥＦ）の間に制限される。
【００４３】
なお、第１の閾値電圧ＶＬ１は、出力信号レベル異常検出回路２２が異常判定に用いる第２の閾値電圧ＶＬ２よりも低く設定される。これにより、リミッタ回路１７が正常に動作しているときには、出力信号のレベルは第２の閾値電圧のレベルを超えないレベルとなる。よって、出力信号レベル異常検出回路２２は、リミッタ回路１７が故障した場合にのみ異常判定をすることになるので、保護回路が過度に異常状態を検出して頻繁にスピーカの駆動が停止されたりするのを避けることが可能となる。
【００４４】
但し、リミッタ回路１７から出力される出力信号レベルを第１の閾値電圧ＶＬ１を超えないように制限する動作が完了するまでの応答時間ＴＲ１においては、出力信号レベルが瞬間的に第２の閾値電圧ＶＬ２を越えることがありうる。しかしながら、利用者が過大な音量がスピーカ３２から出力されたと認識することができない程度の応答時間ＴＲ１とすれば保護機能として十分である。
また、リミッタ回路１７の応答時間ＴＲ１についても、出力信号レベル異常検出回路２２が出力信号の大きさを評価して判断を下すまでの出力信号レベル異常検出回路２２の応答時間ＴＲ２より短く設定される。これにより、出力信号レベル異常検出回路２２による保護機能をより頻繁に動作しないようにすることができる。
【００４５】
（ゲイン調整部４１が実行するゲイン調整シーケンス制御のアルゴリズム）
続いて、図４を参照して、ゲイン調整部４１が実行するゲイン調整シーケンス制御のアルゴリズムを説明する。図４は、ゲイン調整部４１が実行するゲイン調整シーケンス制御のアルゴリズムを示すフローチャートである。
図４に示すように、まずゲイン調整部４１は、通常動作のゲインで入力信号を増幅するようにプリアンプ４０に指示を出力する（ステップＳ１０１）。ゲイン調整部４１は、プリアンプ４０から出力される出力信号レベルが第１の閾値電圧ＶＬ１を超えているか判定する（ステップＳ１０２）。もし、プリアンプ４０の出力信号レベルが第１の閾値電圧ＶＬ１を超えていなければ（ステップＳ１０２のＮＯ）、ゲイン調整部４１は、通常動作のゲインで入力信号を増幅するようにプリアンプ４０に指示を出力し続けるとともに、ステップＳ１０１に戻り出力信号レベルを監視し続ける。
【００４６】
また、プリアンプ４０の出力信号レベルが第１の閾値電圧ＶＬ１を超えると（ステップＳ１０２のＹＥＳ）、ゲイン調整部４１は、出力信号レベルが第１の閾値電圧ＶＬ１を超えないように現在のゲインを低くし、そのゲインで入力信号を増幅するようにプリアンプ４０に指示を出力し始める（ステップＳ１０３）。その後、出力信号レベルが第１の閾値電圧ＶＬ１を下まわるまで、ゲイン調整部４１は、ステップＳ１０２に戻り、プリアンプ４０のゲインを調整する指示を出力し続ける。
そして、再びプリアンプ４０の出力信号レベルが第１の閾値電圧ＶＬ１を超えないようになれば（ステップＳ１０２のＮＯ）、ゲイン調整部４１は、通常動作のゲインで入力信号を増幅するようにプリアンプ４０に指示を出力し続ける。
【００４７】
なお、このリミッタ回路１７自体に故障が生じた場合、リミッタ回路１７では、出力信号レベルが第１の閾値電圧ＶＬ１を超えないように制限することができなくなる。すると、出力信号レベルが第２の閾値電圧ＶＬ２を継続的に超える場合がある。しかしながら、利用者に対してスピーカ３２から過大な音量が出力される前に、出力信号レベル異常検出回路２２がこれを検知し、制御部１２に異常信号ＥＲを通知してスピーカ３２の駆動を停止する等の対策をとる。
【００４８】
（出力信号レベル異常検出回路２２の構成）
次に、図５を参照して、出力信号レベル異常検出回路２２の構成を説明する。図５は、出力信号レベル異常検出回路２２の構成を示すブロック図である。
図５に示す出力信号レベル異常検出回路２２は、整流回路５１、積分回路５２、コンパレータ５３および出力信号レベル異常判定シーケンス制御部５４を備えて構成される。
整流回路５１は、基準電圧を基準にして、スピーカ出力端子１５の信号を整流するための回路である。
【００４９】
積分回路５２は、アンプ５２ａ、抵抗素子５２ｂ、積分用キャパシタ５２ｃおよびリセットスイッチ５２ｄを備えて構成され、整流回路５１の出力を所定の時間枠で積分するための回路である。積分回路５２は、出力信号レベル異常判定シーケンス制御部５４からの信号に基づいて、リセットスイッチ５２ｄの電気的接続状態を閉じることによって、積分用キャパシタ５２ｃに積分されている電荷を基準電圧でリセットする。なお、積分回路５２の代わりに、スイッチドキャパシタ回路を用いて、スピーカ出力端子１５の信号の極性に合わせてサンプリングすることも可能である。このように、スイッチドキャパシタ回路が整流機能を兼ねるように、回路を構成することによって、整流回路５１を省くことも可能である。
【００５０】
コンパレータ５３は、積分回路５２の出力レベルと第２の閾値電圧ＶＬ２のレベルとを比較するための比較回路である。コンパレータ５３は、積分回路５２から出力される信号の電圧が第２の閾値電圧ＶＬ２の電圧よりも高くなったとき、正負が反転した信号を出力信号レベル異常判定シーケンス制御部５４に出力する。
出力信号レベル異常判定シーケンス制御部５４は、シーケンサ５４ａおよびカウンタ５４ｂを備えて構成される。出力信号レベル異常判定シーケンス制御部５４は、コンパレータ５３の出力に基づいて過大な音声信号が継続的に出力されているか否かを判定するための出力信号レベル異常判定シーケンス制御のアルゴリズムを実行し、過大な音声信号が
継続的に出力されている場合には、制御部１２に異常信号ＥＲを通知する。
カウンタ５４ｂは、出力信号レベル異常判定シーケンス制御部５４が過大な音声信号が継続的に出力されたと判定した回数をカウントする。
【００５１】
（出力信号レベル異常検出回路２２の動作）
続いて、図６を参照して、出力信号レベル異常検出回路２２の動作にについて説明する。図６は、出力信号レベル異常検出回路２２の内部の各信号レベルを示すグラフである。
図６（ａ）は、スピーカ出力端子１５の出力信号レベル（整流回路５１に入力される信号レベル）を示すグラフである。図６（ｂ）は、整流回路５１から出力される出力信号レベル示すグラフである。図６（ｃ）は、積分回路５２から出力される出力信号レベルと積分回路５２の各制御処理のタイミングとを合わせて示すグラフである。
図６（ａ）に示すスピーカ出力端子１５から出力された出力信号は、整流回路５１に入力され、整流回路５１で基準電圧を基準にして整流される。すると、図６（ｂ）に示すような整流された信号が整流回路５１から出力される。さらに、整流回路５１で整流された信号は、積分回路５２に入力される。
【００５２】
図６（ｃ）に示すように、シーケンサ５４ａは積分回路５２を積分回路初期化フェーズで初期化すると、積分回路５２は整流回路５１から出力された出力信号を積分時間だけ積分し始める。そして、この積分時間が終了するごとにコンパレータ出力取得フェーズとなり、シーケンサ５４ａは、このコンパレータ出力取得フェーズで積分回路５２で積分された出力信号と第２の閾値電圧ＶＬ２とが入力されるコンパレータ５３の比較結果を取得する。積分回路５２から出力される信号の電圧が第２の閾値電圧ＶＬ２の電圧よりも高くなったとき、シーケンサ５４ａはカウンタ５４ｂの値を変更する。その後、再びシーケンサ５４ａは積分回路初期化フェーズで積分回路５２を初期化し、整流回路５１から出力された出力信号を積分することを繰り返す。
【００５３】
なお、整流回路５１からの出力信号を積分する方法は上述した方法に限定されない。例えば、整流回路５１を用いて出力信号の振幅の絶対値を積分したり、出力音声振幅の２乗した値の平均値を積分したりする（２乗平均値を用いる）ことも可能である。
積分時間は、シーケンサ５４ａが積分回路５２を一定時間毎に積分回路初期化フェーズで初期化することで定まる。この積分時間は、瞬時的なノイズによる判定精度が劣化することがないような時間を設定することが好ましいが、その時間内で確実に利用者に対して過大な音量がスピーカから出力されることを防止することができるような時間に設定することが必要である。なお、本実施形態ではこの積分時間を１．２８ｍｓとして説明する。
【００５４】
（シーケンサ５４ａが実行する出力信号レベル異常判定シーケンス制御のアルゴリズム）
続いて、図７を参照して、シーケンサ５４ａが実行する出力信号レベル異常判定シーケンス制御のアルゴリズムを説明する。図７は、シーケンサ５４ａが実行する出力信号レベル異常判定シーケンス制御のアルゴリズムを示すフローチャートである。
図７に示すように、シーケンサ５４ａは、制御部１２からスピーカアンプ１０のレシーバモードで動作するように指示を受けると、カウンタ５４ｂの値を０にリセットする（ステップＳ２０１）。また、シーケンサ５４ａは、リセットスイッチ５２ｄの電気的接続状態を切り替えて、積分回路５２をリセットする（ステップＳ２０２）。これにより、出力信号レベル異常検出回路２２全体がリセットされる。
【００５５】
積分回路５２がリセットされると、積分回路５２は、積分時間の間整流回路５１で整流された出力信号の積分を開始する。この出力信号の積分時間は、上述した通り１．２８ｍｓとする。シーケンサ５４ａは、積分時間になるまで待機する（ステップＳ２０３のＮＯ）。
そして、シーケンサ５４ａは、積分時間が経つと（ステップＳ２０３のＹＥＳ）、コンパレータ５３からの出力信号に基づいて、積分回路５２で積分された出力信号レベルが第２の閾値電圧ＶＬ２よりも大きいか否かを判定する（ステップ２０４）。もし、積分回路５２で積分された出力信号レベルが第２の閾値電圧ＶＬ２を超えていなければ（ステップ２０４のＮＯ）、シーケンサ５４ａは、ステップ２０１に戻り上述した処理を繰り返す。また、積分回路５２で積分された出力信号レベルが第２の閾値電圧ＶＬ２を超えていれば（ステップ２０４のＹＥＳ）、シーケンサ５４ａは、カウンタ５４ｂが保持するカウンタ値に１を加える（ステップ２０５）。
【００５６】
シーケンサ５４ａは、このときカウンタ５４ｂが所定の値に達していなければ（ステップ２０６のＮＯ）、ステップ２０２に戻り同様の処理を繰り返す。また、カウンタ５４ｂが所定の値に達すると（ステップ２０６のＹＥＳ）、シーケンサ５４ａは、過大な音声信号が継続的に出力されていると判断し、制御部１２に異常信号ＥＲを通知し、出力信号を積分する処理を終了する（ステップ２０７）。
例えば、ステップ２０６の異常信号ＥＲの出力することを決める所定の値を４回とすると、１．２８ｍｓ×４回＝５．１２ｍｓの間に過大な音声信号が継続的に出力されていることを以て、利用者に対してスピーカ３２から過大な音量が出力されることがあるとみなすことになる。
【００５７】
本実施形態では、１．２８ｍｓの時間枠での積算平均の結果が４回連続して第２の閾値電圧ＶＬ２を越えることを以て、過大な音声信号が継続的に出力されていると判定するアルゴリズムを示した。他にも、第２の閾値電圧ＶＬ２を越える頻度、例えば１０回のうち４回以上第２の閾値電圧ＶＬ２を越えることを以て、過大な音声信号が継続的に出力されていると判定するアルゴリズムや、１０回のうち４回連続して第２の閾値電圧ＶＬ２を越えることを以て、過大な音声信号が継続的に出力されていると判定するアルゴリズムにすることもできる。
【００５８】
なお、この出力信号レベル異常検出回路２２自体に故障が生じても、上述したリミッタ回路１７の動作に影響することはない。このため、出力信号レベル異常検出回路２２自体が故障したとしても、利用者に対して過大な音量がスピーカ３２から出力される前に、リミッタ回路１７で出力信号レベルが第１の閾値電圧ＶＬ１を超えないように制限することができる。しかしながら、閾値電圧設定ピン２０に接続された抵抗素子２１ｂの断線等によって、利用者に対して過大な音量がスピーカ３２から出力されるほど第２の閾値電圧ＶＬ２を高くなった場合には、出力信号レベル異常検出回路２２で異常を検出することができなくなる。この場合、利用者に対して過大な音量がスピーカ３２から出力される前に、閾値電圧レベル異常検出回路２３がこれを検知し、制御部１２に異常信号ＥＲを通知する。
【００５９】
（閾値電圧レベル異常検出回路２３の構成）
次に、図８を参照して、閾値電圧レベル異常検出回路２３の構成を説明する。図８は、閾値電圧レベル異常検出回路２３の構成を示すブロック図である。
図８に示す閾値電圧レベル異常検出回路２３は、コンパレータ６０および閾値電圧レベル異常判定シーケンス制御部６１を備えて構成される。
コンパレータ６０は、第２の閾値電圧ＶＬ２のレベルと第３の閾値電圧ＶＬ３のレベルとを比較するための比較回路である。コンパレータ６０は、第２の閾値電圧ＶＬ２のレベルが第３の閾値電圧ＶＬ３のレベルよりも高くなったとき、正負が反転した信号を閾値電圧レベル異常判定シーケンス制御部６１に出力する。
【００６０】
閾値電圧レベル異常判定シーケンス制御部６１は、閾値電圧レベル異常検出回路２３全体の動作を制御する。閾値電圧レベル異常判定シーケンス制御部６１は、コンパレータ６０の基づいて第２の閾値電圧ＶＬ２のレベルが第３の閾値電圧ＶＬ３のレベルを超えたか否かを判定するための閾値異常判定シーケンス制御を実行し、第２の閾値電圧ＶＬ２のレベルが第３の閾値電圧ＶＬ３のレベルを超えている場合には、制御部１２に異常信号ＥＲを通知する。
【００６１】
（閾値電圧レベル異常判定シーケンス制御部６１が実行する閾値異常判定シーケンス制御のアルゴリズム）
続いて、図９を参照して、閾値電圧レベル異常判定シーケンス制御部６１が実行する閾値異常判定シーケンス制御のアルゴリズムを説明する。図９は、閾値異常判定シーケンス制御のアルゴリズムを示すフローチャートである。
図９に示すように、まず閾値電圧レベル異常判定シーケンス制御部６１は、定電流源２１ａと抵抗素子２１ｂとから発生させた第２の閾値電圧ＶＬ２を入力する（ステップＳ３０１）。続いて、定電流源２１ａと定電流源２１ａとからなる基準電圧発生回路とは独立して動作する基準電圧発生回路２４ｂから出力される第３の閾値電圧ＶＬ３を入力する（ステップＳ３０２）。閾値電圧レベル異常判定シーケンス制御部６１は、第２の閾値電圧ＶＬ２が第３の閾値電圧ＶＬ３を超えていないと判定した場合には（ステップＳ３０３のＮＯ）、ステップＳ３０１に戻り上述した処理を繰り返す。
【００６２】
また、ステップＳ３０３で、閾値電圧レベル異常判定シーケンス制御部６１は、第２の閾値電圧ＶＬ２が第３の閾値電圧ＶＬ３を超えていると判定した場合には（ステップＳ３０３のＹＥＳ）、第２の閾値電圧ＶＬ２が異常状態であると判断し、制御部１２に異常信号ＥＲを通知し、処理を終了する（ステップ３０４）。
なお、上述したリミッタ回路１７と出力信号レベル異常検出回路２２とでは、これらに共通に接続されるノードを持たない。このため、この２つの回路そのものが同時に故障する確率は低い。但し、基準電圧発生回路２４の故障により、リミッタ回路１７と出力信号レベル異常検出回路２２とが同時に動作不良に陥ると、利用者に対して過大な音量がスピーカ３２から出力される可能性があるため、リミッタ回路１７と出力信号レベル異常検出回路２２との両方が同時に動作不良に陥ったことを検知するための構成が必要である。
【００６３】
その対策して、リミッタ回路１７が基準とする第１の閾値電圧ＶＬ１は基準電圧発生回路２４ａで発生ざせ、出力信号レベル異常検出回路２２が基準とする第２の閾値電圧ＶＬ２の発生に使用する定電流を基準電圧発生回路２４ｂで生成する。このようにすれば、リミッタ回路１７と出力信号レベル異常検出回路２２との両方が同時に動作不良に陥る確率を低くすることができる。
【００６４】
あるいは、第１の閾値電圧ＶＬ１と第２の閾値電圧ＶＬ２との両方を基準電圧発生回路２４ａから発生させ、閾値電圧レベル異常検出回路２３が基準とする第３の閾値電圧ＶＬ３を基準電圧発生回路２４ｂから発生させても良い。このようにすれば、基準電圧発生回路２４ａの一方の故障によって、利用者に対してスピーカ３２から過大な音量が出力される可能性があるほど第２の閾値電圧ＶＬ２が高くなった場合には、閾値電圧レベル異常検出回路２３が基準電圧発生回路２４ｂから発生させた第３の閾値電圧ＶＬ３に基づいて異常を検知して制御部１２に異常信号ＥＲを通知することができる。また、基準電圧発生回路２４ｂの一方が故障した場合は、この故障によりリミッタ回路１７および出力信号レベル異常検出回路２２の各回路の動作に影響を及ぼすことはないため、リミッタ回路１７が出力信号のレベルを利用者に対してスピーカ３２から過大な音量が出力されないような大きさに制限したり、出力信号レベル異常検出回路２２が異常を検知して制御部１２に異常信号ＥＲを通知したりすることができる。
以上の通り、簡易な回路構成にもかかわらず多重な故障対策により、過大音量の出力を多重に抑止できる。
【００６５】
（まとめ）
本実施形態によれば、利用者に対して過大な音量がスピーカ３２から出力されないようにリミッタ回路１７により防止しながら信号を出力することが可能である。また、リミッタ回路が故障した場合でも、出力信号レベル異常検出回路２２により出力信号レベルを検出することでスピーカ３２の駆動を停止する等の対策をとることができる。
【００６６】
なお、リミッタ回路１７と出力信号レベル異常検出回路２２とを、それぞれ独立した回路から発生させた閾値電圧ＶＬ１，ＶＬ２を基準にして動作させることで、リミッタ回路１７と出力信号レベル異常検出回路２２とが同時に動作不良に陥って、利用者に対してスピーカ３２から過大な音量が出力されるのを防止することができる。また、出力信号レベル異常回路２３で使用する第２の閾値電圧ＶＬ２が利用者に対してスピーカ３２から過大な音量が出力されるほどのレベルとなるような故障が起こった場合には、閾値電圧レベル異常検出回路２３の判定に基づいて、スピーカ３２の駆動を停止する等の対策をとることができる。
以上のように、各保護回路は簡易な構成でありながらも、保護回路が多重に設けられている。このため、安全性を保ちながらレシーバ用途とサウンダ用途とで単一のスピーカを兼用することができる。
【産業上の利用可能性】
【００６７】
本発明によれば、レシーバ用途とサウンダ用途とで兼用されるスピーカを内蔵する携帯電話装置等の電子機器に、そのスピーカを駆動するためのスピーカアンプとして利用される。
【符号の説明】
【００６８】
１０……スピーカアンプ
１１……制御信号入出力端子
１２……制御部
１３……レシーバモード用音声信号入力端子
１４……サウンダモード用音声信号入力端子
１５……スピーカ出力端子
１６……信号パス切替スイッチ
１７……出力信号レベル制限（リミッタ）回路
１８……レシーバモード用スピーカ駆動部
１９……サウンダモード用スピーカ駆動部
２０……閾値電圧設定ピン
２１ａ……定電流源
２１ｂ……抵抗素子
２２……出力信号レベル異常検出回路
２３……閾値電圧レベル異常検出回路
２４……基準電圧発生回路
４０……プリアンプ
４１……ゲイン調整部
５１……整流回路
５２……積分回路
５３，６０……コンパレータ
５４……出力信号レベル異常判定シーケンス制御部
６１……閾値電圧レベル異常判定シーケンス制御部
【図１】
0005778898.tif 000002
【図２】
0005778898.tif 000003
【図３】
0005778898.tif 000004
【図４】
0005778898.tif 000005
【図５】
0005778898.tif 000006
【図６】
0005778898.tif 000007
【図７】
0005778898.tif 000008
【図８】
0005778898.tif 000009
【図９】
0005778898.tif 000010